(57)【要約】【課題】所定の条件のもと、クラウン部分にアロー模様とハート模様を同時に視認することができるダイアモンドを提供すること。【解決手段】テーブル又はクラウンからの入射光が、一側のパビリオンで反射され、逆側のパビリオンで再反射され出射光を生み出す際に、互いに隣接するパビリオンファセットの笹目点近傍の境界線によりハート模様の上方のＶ字ラインが形成され、出射光がクラウンを透過して放出される際に、クラウンに形成されたスターファセットの境界線によりハート模様の下方のＶ字ライン及び前記ハート模様の残りのラインを形成し、クラウン部分にアロー模様のみならず、ハート模様を視認することができるダイアモンド。【選択図】      図１
2010201043.tif 000002
【特許請求の範囲】
【請求項１】
上部中央に平坦なテーブルを有する略円錐台形状又は略角錘台形状をなすクラウンと、底部中心に鋭いキューレットを有する略円錐形状又は略角錘形状をなすパビリオンと、当該クラウンと当該パビリオンとの境界周面に帯状のガードルとから構成され、宝石用スコープを使用してフェイスアップ方向より観察すると、アロー模様を視認できるダイアモンド及びその模造宝石において、当該アロー模様の間にハート模様を視認することができることを特徴とするダイアモンド及びその模造宝石。
【請求項２】
前記テーブル又は前記クラウンからの入射光が、一側のパビリオンで反射され、逆側のパビリオンで再反射され出射光を生み出す際に、互いに隣接するパビリオンファセットの笹目点近傍の境界線により前記ハート模様の上方のＶ字ラインが形成され、前記出射光が前記クラウンを透過して放出される際に、当該クラウンに形成されたファセットの境界線により  前記ハート模様の下方のＶ字ライン及び前記ハート模様の残りのラインを形成し、宝石用スコープを使用してフェイスアップ方向より観察すると、双方のラインが連結して前記ハート模様を視認することができることを特徴とする請求項１に記載のダイアモンド及びその模造宝石。
【請求項３】
前記クラウン側においては、前記テーブルは略正１０角形に形成され、当該テーブルより前記ガードルに向かって、前記テーブルの各辺を底辺として略台形に形成される第２ベゼルファセット１０面と、隣接する当該第２ベゼルファセットの側辺を下側辺とし前記ガードルに向かって略菱形に形成されるスターファセット１０面と、前記第２ベゼルファセットの頭辺を底辺とし、前記スターファセットの上側辺を下側辺として、かつ頂点が前記ガードルに接して略五角形に形成される第１ベゼルファセット１０面と、隣接する前記第１ベゼルファセットの側辺の接点より当該隣接する第１ベゼルファセットの頂点と前記ガードルとの接点のガードル上の略中間位置に向かって描かれる１０本の上部分割線と当該隣接する第１ベゼルファセットの上側辺と前記ガードルにより略逆三角形に形成されるアッパーガードルファセット２０面とを有し、
前記パビリオン側においては、前記上部分割線と前記ガードルとの接点より前記キューレットに向かって形成される１０本の下部分割線と、前記第１ベゼルファセットの頂点と当該下部分割線上に設けられる笹目点とを結んで略逆三角形に形成されるローアーガードルファセット２０面と、隣接する当該ローアーガードルファセットの下側辺を上側辺として前記下部分割線を下側辺として略菱形に形成されるパビリオンファセット１０面とを有することを特徴とする請求項１から２に記載のダイアモンド及びその模造宝石。
【請求項４】
前記クラウン側においては、前記テーブルは略正８角形に形成され、当該テーブルより前記ガードルに向かって、前記テーブルの各辺を底辺として略台形に形成される第２ベゼルファセット８面と、隣接する当該第２ベゼルファセットの側辺を下側辺とし前記ガードルに向かって略菱形に形成されるスターファセット８面と、前記第２ベゼルファセットの頭辺を底辺とし、前記スターファセットの上側辺を下側辺として、かつ頂点が前記ガードルに接して略五角形に形成される第１ベゼルファセット８面と、隣接する前記第１ベゼルファセットの側辺の接点より当該隣接する第１ベゼルファセットの頂点と前記ガードルとの接点のガードル上の略中間位置を結んで描かれる８本の上部分割線と当該隣接する第１ベゼルファセットの上側辺と前記ガードルにより略逆三角形に形成されるアッパーガードルファセット１６面とを有し、
前記パビリオン側においては、前記上部分割線と前記ガードルとの接点より前記キューレットに向かって形成される８本の下部分割線と、前記第１ベゼルファセットの頂点と当該下部分割線上に設けられる笹目点とを結んで略逆三角形に形成されるローアーガードルファセット１６面と、隣接する当該ローアーガードルファセットの下側辺を上側辺として前記下部分割線を下側辺として略菱形に形成されるパビリオンファセット８面とを有することを特徴とする請求項１から２に記載のダイアモンド及びその模造宝石。
【請求項５】
前記クラウン側においては、前記テーブルは略正１０角形に形成され、当該テーブルより前記ガードルに向かって、前記テーブルの各辺を底辺として略台形に形成される第２ベゼルファセット１０面と、隣接する当該第２ベゼルファセットの側辺を下側辺とし前記ガードルに向かって略菱形に形成されるスターファセット１０面と、前記第２ベゼルファセットの頭辺を底辺とし、前記スターファセットの上側辺を下側辺として、かつ頂点が前記ガードルに接して略五角形に形成される第１ベゼルファセット１０面と、隣接する前記第１ベゼルファセットの側辺の接点より当該隣接する第１ベゼルファセットの頂点と前記ガードルとの接点のガードル上の略中間位置に向かって描かれる１０本の上部分割線と当該隣接する第１ベゼルファセットの上側辺と前記ガードルにより略逆三角形に形成されるアッパーガードルファセット２０面とを有し、
前記パビリオン側においては、前記上部分割線と前記ガードルとの接点より前記キューレットに向かって形成される１０本の第１下部分割線と、前記第１ベゼルファセットの頂点とガードルの接点よりキューレットに向かうように想定される１０本の第２下部分割線と、前記第１下部分割線上に設けられる笹目点と前記第２下部分割線上に設けられる先端点を結んで略四角形に形成されるローアーガードルファセット２０面と、隣接する当該ローアーガードルファセットの下側辺を上側辺として前記第１下部分割線を下側辺として略菱形に形成されるパビリオンファセット１０面とを有することを特徴とする請求項１から２に記載のダイアモンド及びその模造宝石。
【請求項６】
前記クラウン側においては、前記テーブルは略正８角形に形成され、当該テーブルより前記ガードルに向かって、前記テーブルの各辺を底辺として略台形に形成される第２ベゼルファセット８面と、隣接する当該第２ベゼルファセットの側辺を下側辺とし前記ガードルに向かって略菱形に形成されるスターファセット８面と、前記第２ベゼルファセットの頭辺を底辺とし、前記スターファセットの上側辺を下側辺として、かつ頂点が前記ガードルに接して略五角形に形成される第１ベゼルファセット８面と、隣接する前記第１ベゼルファセットの側辺の接点より当該隣接する第１ベゼルファセットの頂点と前記ガードルとの接点のガードル上の略中間位置を結んで描かれる８本の上部分割線と当該隣接する第１ベゼルファセットの上側辺と前記ガードルにより略逆三角形に形成されるアッパーガードルファセット１６面とを有し、
前記パビリオン側においては、前記上部分割線と前記ガードルとの接点より前記キューレットに向かって形成される８本の第１下部分割線と、前記第１ベゼルファセットの頂点とガードルの接点よりキューレットに向かうように想定される８本の第２下部分割線と、前記第１下部分割線上に設けられる笹目点と前記第２下部分割線上に設けられる先端点を結んで略四角形に形成されるローアーガードルファセット１６面と、隣接する当該ローアーガードルファセットの下側辺を上側辺として前記第１下部分割線を下側辺として略菱形に形成されるパビリオンファセット８面とを有することを特徴とする請求項１から２に記載のダイアモンド及びその模造宝石。
【請求項７】
前記下部分割線又は前記第１下部分割線上において前記ガードルから前記笹目点までの距離と当該笹目点から前記キューレットまでの距離の比が５５：４５〜８０：２０の範囲内にあることを特徴とする請求項３から６に記載のダイアモンド及びその模造宝石。
【請求項８】
前記第２下部分割線上において前記ガードルから前記先端点までの距離と当該先端点から前記キューレットまでの距離の比が４０：６０〜１：９９の範囲内にあることを特徴とする請求項５から６に記載のダイアモンド及びその模造宝石。
【請求項９】
前記請求項１から８に記載のダイアモンド及びその模造宝石を取り付けた装身具。
【発明の詳細な説明】
【技術分野】
【０００１】
本発明は、所定の宝石用スコープを使用すると、ハートアンドアロー模様を同時に視認できるダイアモンド及びその模造宝石に関する。
【背景技術】
【０００２】
宝石の、特にダイアモンドは、平坦なテーブルを有する略円錐台形状のクラウンと、鋭いキューレットを有する略円錐形状のパビリオンと、このクラウンとパビリオンとの境界周面の帯状のガードルとを有している。そして、最も一般的なダイアモンド１１０は、図１２に示すように、クラウン１１１側においては、テーブル１１４と、ベゼルファセット１２０を８面と、スターファセット１１８を８面と、アッパーガードルファセット１２２を１６面有し、パビリオン１１２側においては、キューレット１２４と、パビリオンメインファセット１２６を８面と、ローワーガードルファセット１２５を１６面有するようにカットされ、通常ラウンドブリリアントカットと呼ばれている。
【０００３】
また、このダイアモンド１１０のうち理想的にカットされたものは、ガードル１１３により想定される水平面αに対し、ベゼルファセット１２０は３４度前後で傾斜し、また同様に、パビリオンメインファセット１２６は４０．８度前後で傾斜するものである。
【０００４】
そして、図１３に示すような、先端には、ダイアモンドを覗くための穴部１３２を形成し、中間には、白色光を取り入れるための半透明キャップ部１３３を設け、根元には、取り入れた光を着色化して暗視野照明と類似の効果をもたらすために着色周囲部１３４を設けた所定の宝石スコープ１３０を使用し、ダイアモンド１１０を水平に載置し上方から被せると、優れたカット形状からなるダイアモンド１１０には、図１４に示すように、クラウン１１１側において８のアロー模様Ｃ（投影像）を影絵の如く視認でき、パビリオン１１２側において８のハート模様Ｄ（投影像）を影絵の如く視認できることが経験的に知られている。
【０００５】
このハートアンドアロー模様は、優れたカット形状の証明として、同重量のダイアモンドにおける価格相違を説明する有効な販売ツールとなるので、小売店等の店頭におけるセールストークに盛んに利用されている。
【０００６】
【特許文献１】特開２００５−０７３７１９号公報
【発明の開示】
【発明が解決しようとする課題】
【０００７】
しかしながら、このアロー模様Ｃはクラウン１１１側においてのみ、ハート模様Ｄはパビリオン１１２側においてのみ視認されるため、ダイアモンド１１０の見る方向をいちいち変えなければ（フエイスアップ方向からフエイスダウン方向に裏返さなければ）視認することができず、ハートとアローを同時に視認することは不可能であった。
【０００８】
よって、ダイアモンド１１０がひとたびペンダント等の装身具の台座にフェイスアップ方向（クラウン１１１を表側にした方向）に取り付けられると、ダイアモンド１１０を裏返すことは当然できなくなるから、クラウン１１１側のアローＣ模様はともかく、パビリオン１１２側のハート模様Ｄを視認することが全く不可能になるという不都合が生じる。
【０００９】
したがって、優れたカットのダイアモンドであっても、実際に使用する装身具においては、限定的条件の照明下においてアロー模様Ｃを視認できるに過ぎず、一般需要者は単に装身具の購入時における満足感に留まっていた。
【００１０】
本発明は、所定の宝石用スコープを使用すると、クラウン部分にアロー模様Ｃのみならず、ハート模様Ｄを同時に視認することができるダイアモンド及びその模造宝石を提供せんとするものである。
【課題を解決するための手段】
【００１１】
上記課題を解決するために請求項１に記載された本発明は、上部中央に平坦なテーブルを有する略円錐台形状又は略角錘台形状をなすクラウンと、底部中心に鋭いキューレットを有する略円錐形状又は略角錘形状をなすパビリオンと、当該クラウンと当該パビリオンとの境界周面に帯状のガードルとから構成され、宝石用スコープを使用してフェイスアップ方向より観察すると、アロー模様を視認できるダイアモンド及びその模造宝石において、当該アロー模様の間にハート模様を視認することができるダイアモンド及びその模造宝石であることを特徴とする。また、請求項２に記載された本発明は、前記テーブル又は前記クラウンからの入射光が、一側のパビリオンで反射され、逆側のパビリオンで再反射され出射光を生み出す際に、互いに隣接するパビリオンファセットの笹目点近傍の境界線により前記ハート模様の上方のＶ字ラインが形成され、前記出射光が前記クラウンを透過して放出される際に、当該クラウンに形成されたファセットの境界線により  前記ハート模様の下方のＶ字ライン及び前記ハート模様の残りのラインを形成し、宝石用スコープを使用してフェイスアップ方向より観察すると、双方のラインが連結して前記ハート模様を視認することができる請求項１に記載のダイアモンド及びその模造宝石であることを特徴とする。
【００１２】
請求項３に記載された発明は、前記クラウン側においては、前記テーブルは略正１０角形に形成され、当該テーブルより前記ガードルに向かって、前記テーブルの各辺を底辺として略台形に形成される第２ベゼルファセット１０面と、隣接する当該第２ベゼルファセットの側辺を下側辺とし前記ガードルに向かって略菱形に形成されるスターファセット１０面と、前記第２ベゼルファセットの頭辺を底辺とし、前記スターファセットの上側辺を下側辺として、かつ頂点が前記ガードルに接して略五角形に形成される第１ベゼルファセット１０面と、隣接する前記第１ベゼルファセットの側辺の接点より当該隣接する第１ベゼルファセットの頂点と前記ガードルとの接点のガードル上の略中間位置に向かって描かれる１０本の上部分割線と当該隣接する第１ベゼルファセットの上側辺と前記ガードルにより略逆三角形に形成されるアッパーガードルファセット２０面とを有し、
前記パビリオン側においては、前記上部分割線と前記ガードルとの接点より前記キューレットに向かって形成される１０本の下部分割線と、前記第１ベゼルファセットの頂点と当該下部分割線上に設けられる笹目点とを結んで略逆三角形に形成されるローアーガードルファセット２０面と、隣接する当該ローアーガードルファセットの下側辺を上側辺として前記下部分割線を下側辺として略菱形に形成されるパビリオンファセット１０面とを有する請求項１から２に記載のダイアモンド及びその模造宝石であることを特徴とする。
【００１３】
さらに、請求項４に記載された本発明は、前記クラウン側においては、前記テーブルは略正８角形に形成され、当該テーブルより前記ガードルに向かって、前記テーブルの各辺を底辺として略台形に形成される第２ベゼルファセット８面と、隣接する当該第２ベゼルファセットの側辺を下側辺とし前記ガードルに向かって略菱形に形成されるスターファセット８面と、前記第２ベゼルファセットの頭辺を底辺とし、前記スターファセットの上側辺を下側辺として、かつ頂点が前記ガードルに接して略五角形に形成される第１ベゼルファセット８面と、隣接する前記第１ベゼルファセットの側辺の接点より当該隣接する第１ベゼルファセットの頂点と前記ガードルとの接点のガードル上の略中間位置を結んで描かれる８本の上部分割線と当該隣接する第１ベゼルファセットの上側辺と前記ガードルにより略逆三角形に形成されるアッパーガードルファセット１６面とを有し、
前記パビリオン側においては、前記上部分割線と前記ガードルとの接点より前記キューレットを結んで形成される８本の下部分割線と、前記第１ベゼルファセットの頂点と当該下部分割線上に設けられる笹目点とを結んで略逆三角形に形成されるローアーガードルファセット１６面と、隣接する当該ローアーガードルファセットの下側辺を上側辺として前記下部分割線を下側辺として略菱形に形成されるパビリオンファセット８面とを有する請求項１から２に記載のダイアモンド及びその模造宝石であることを特徴とする。
【００１４】
請求項５に記載された本発明は、前記クラウン側においては、前記テーブルは略正１０角形に形成され、当該テーブルより前記ガードルに向かって、前記テーブルの各辺を底辺として略台形に形成される第２ベゼルファセット１０面と、隣接する当該第２ベゼルファセットの側辺を下側辺とし前記ガードルに向かって略菱形に形成されるスターファセット１０面と、前記第２ベゼルファセットの頭辺を底辺とし、前記スターファセットの上側辺を下側辺として、かつ頂点が前記ガードルに接して略五角形に形成される第１ベゼルファセット１０面と、隣接する前記第１ベゼルファセットの側辺の接点より当該隣接する第１ベゼルファセットの頂点と前記ガードルとの接点のガードル上の略中間位置に向かって描かれる１０本の上部分割線と当該隣接する第１ベゼルファセットの上側辺と前記ガードルにより略逆三角形に形成されるアッパーガードルファセット２０面とを有し、
前記パビリオン側においては、前記上部分割線と前記ガードルとの接点より前記キューレットに向かって形成される１０本の第１下部分割線と、前記第１ベゼルファセットの頂点とガードルの接点より前記キューレットに向かうように想定される１０本の第２下部分割線と、前記第１下部分割線上に設けられる笹目点と前記第２下部分割線上に設けられる先端点を結んで略四角形に形成されるローアーガードルファセット２０面と、隣接する当該ローアーガードルファセットの下側辺を上側辺として前記第１下部分割線を下側辺として略菱形に形成されるパビリオンファセット１０面とを有する請求項１から２に記載のダイアモンド及びその模造宝石であることを特徴とする。
【００１５】
請求項６に記載された本発明は、前記クラウン側においては、前記テーブルは略正８角形に形成され、当該テーブルより前記ガードルに向かって、前記テーブルの各辺を底辺として略台形に形成される第２ベゼルファセット８面と、隣接する当該第２ベゼルファセットの側辺を下側辺とし前記ガードルに向かって略菱形に形成されるスターファセット８面と、前記第２ベゼルファセットの頭辺を底辺とし、前記スターファセットの上側辺を下側辺として、かつ頂点が前記ガードルに接して略五角形に形成される第１ベゼルファセット８面と、隣接する前記第１ベゼルファセットの側辺の接点より当該隣接する第１ベゼルファセットの頂点と前記ガードルとの接点のガードル上の略中間位置を結んで描かれる８本の上部分割線と当該隣接する第１ベゼルファセットの上側辺と前記ガードルにより略逆三角形に形成されるアッパーガードルファセット１６面とを有し、
前記パビリオン側においては、前記上部分割線と前記ガードルとの接点より前記キューレットに向かって形成される８本の第１下部分割線と、前記第１ベゼルファセットの頂点とガードルの接点より前記キューレットに向かうように想定される８本の第２下部分割線と、前記第１下部分割線上に設けられる笹目点と前記第２下部分割線上に設けられる先端点を結んで略四角形に形成されるローアーガードルファセット１６面と、隣接する当該ローアーガードルファセットの下側辺を上側辺として前記第１下部分割線を下側辺として略菱形に形成されるパビリオンファセット８面とを有する請求項１から２に記載のダイアモンド及びその模造宝石であることを特徴とする。
【００１６】
くわえて、請求項７に記載された本発明は、前記下部分割線上において前記ガードルから前記笹目点までの距離と当該笹目点から前記キューレットまでの距離の比が５５：４５〜８０：２０の範囲内にある請求項３から６に記載のダイアモンド及びその模造宝石であることを特徴とする。さらにくわえて、請求項８に記載された本発明は、前記第２下部分割線上において前記ガードルから前記先端点までの距離と当該先端点から前記キューレットまでの距離の比が４０：６０〜１：９９の範囲内にある請求項５から６に記載のダイアモンド及びその模造宝石であることを特徴とする。
【００１７】
そして、請求項９に記載された本発明は、前記請求項１から８に記載のダイアモンド及びその模造宝石を取り付けた装身具であることを特徴とする。
【発明の効果】
【００１８】
本発明によれば、所定の宝石用スコープを使用し、ダイアモンド等のクラウン側においてハート模様とアロー模様の双方を同時に視認することができる。したがって、ダイアモンド等の見る方向を変えずに（フェイスアップ方向のみで）、優れたカット形状であることを確認することができる。くわえて、ダイアモンド等のクラウン側において先端が欠けることなく、美しいアロー模様を視認することができる。さらには、装身具に取り付けられたダイアモンド等についても、所定の照明条件のもと、ハート模様とアロー模様をそのまま視認することができ、装身具を購入した一般需要者が購入後の満足感を得ることもできる。
【発明を実施するための最良の形態】
【００１９】
以下、図面を参照しつつ、本発明に係る装身具の好ましい実施形態について詳細に説明する。図１において、（ａ）は本発明に係る第１ダイアモンドを示す平面図、（ｂ）はその底面図、（ｃ）はその側面図である。図２において、（ａ）は第１ダイアモンドのカット面の傾斜角度を示す平面図、（ｂ）はその底面図である。図３は、第１ダイアモンドにおけるハート模様を具現する入射光の道筋の一例を示す説明図、図４は、第１ダイアモンドのクラウン上に視認されるハートアンドアロー模様を示す説明図、図５は、ペンダントに取り付けられた第1ダイアモンドを示す平面図である。
【００２０】
第１ダイアモンド１０は、例えば、天然ダイアモンド、合成ダイアモンド等を主な素材とするものであるが、これに限定されることなく、屈折率との関係でファセット面の角度を調整すれば、キュービックジルコニア等の模造ダイアモンドや他の透明宝石（薄く着色されたものも含む。）を素材として使用することもできる。
【００２１】
図１に示すように、第１ダイアモンド１０は、略円錐台形状（断面略台形状）であるクラウン１１と、略円錐形状（断面略三角形状）であるパビリオン１２と、クラウン１１とパビリオン１２との境界周面の帯状のガードル１３とを有する。
【００２２】
第１ダイアモンド１０のクラウン１１には、中央に平坦なテーブル１４が略正１０角形に形成されている。また、テーブル１４よりガードル１３方向に、テーブル１４の各辺を底辺として略台形に形成される第２ベゼルファセット１６を１０面有している。ここで、全体として略円周状に形成されるガードル１３により想定される水平面αと第２ベゼルファセット１６の傾斜は、後記する第１ベゼルファセット２０と角度差を設ける必要がある点及び後記するパビリオンファセット２８からのアロー模様Ｄの反射像の一部が投影される点を考慮すると約２５度前後に形成されることが望ましい。
【００２３】
また、クラウン１１は、隣接する第２ベゼルファセット１６の側辺を下側辺とし略菱形に形成されるスターファセット１８を１０面有している。ここで、ガードル１３により想定される水平面αとスターファセット１８の傾斜は、後記するパビリオンファセット２８の笹目点近傍ＢのＶ字ラインの反射像が投影される点を考慮すると約２８度前後が望ましい。
【００２４】
さらに、クラウン１１は、第２ベゼルファセット１６の頭辺を底辺とし、スターファセット１８の上側辺を下側辺として、かつ頂点がガードル１３に接して略五角形に形成される第１ベゼルファセット２０を１０面有している。ここで、ガードル１３により想定される水平面αと第１ベゼルファセット２０の傾斜は、第２ベゼルファセット１６と角度差を設ける必要がある点、スターファセット１８とアッパーガードルファセット２２がそれぞれ約２８度前後と約３９度前後である点及び後記するパビリオンファセット２８のアロー模様Ｄの反射像が投影される点を考慮すると約３４度前後に形成されることが望ましい。
【００２５】
くわえて、クラウン１１は、隣接する第１ベゼルファセット２０の接点１５Ａよりガードル１３上における第１ベゼルファセット２０の頂点の略中間に位置する中間点１５Ｂを結んで形成される上部分割線Ｘと第１ベゼルファセット２０の上側辺とガードル１３により略逆三角形に形成されるアッパーガードルファセット２２を２０面有している。
【００２６】
一方、第１ダイアモンド１０のパビリオン１２には、略中央に鋭ったキューレット２４が形成されている。そして、クラウン１１側における上部分割線Ｘをそのままパビリオン１２側に延長してキューレット２４と結んで形成される下部分割線Ｙと、当該下部分割線Ｙ上に所定の距離をもって設けられる笹目点Ｚと隣接するガードル１３上の下部分割線Ｙの中間点２５Ｂを結んで略逆三角形に形成されるローアーガードルファセット２６を２０面有している。
【００２７】
ここで、ガードル１３により想定される水平面αとローアーガードルファセット２６の傾斜は、後記するパビリオンファセット２８の接点近傍ＢにＶ字ラインが明瞭に表れるようにパビリオンファセット２８と角度差を設ける必要がある点を考慮すると約４２度前後が望ましい。
【００２８】
また、パビリオン１２は、隣接するローアーガードルファセット２６の下側辺を上側辺とし、下部分割線Ｙを下側辺として略菱形に形成されるパビリオンファセット２８を１０面有している。ここで、ガードル１３により想定される水平面αとパビリオンファセット２８の傾斜は、一般的なラウンドブリリアントカットのアイデアルカット（理想のカット）における同様なパビリオンファセットの傾斜が約４０．８度である点を考慮すると、約４０．８度前後に形成されることが望ましい。
【００２９】
なお、笹目点Ｚとは、下部分割線Ｙ上のローアーガードルファセット２６とパビリオンファセット２８の境界点のことである。第１ダイアモンド１０における笹目点Ｚの位置は、後記するハート模様Ｃが明瞭にスターファセット１８上に投影されるべき点を考慮すると、下部分割線Ｙ上において、ガードル１３から笹目点Zまでの長さＹ１と笹目点Zからキューレット２４までの長さＹ２の比が５５：４５〜８０：２０の範囲内にあること、特に６３：３７程度であることが好ましい（図２）。
【００３０】
このような第１ダイアモンド１０においてハートアンドアロー模様を視認するには、前記したラウンドブリリアントカットダイアモンドに使用される宝石用スコープ１３０をそのまま使用し、第１ダイアモンド１０をフェイスアップ方向でほぼ水平に載置した状態で、上方から被せれば良い。
【００３１】
ここで、ガードル１３により想定される水平面αとほぼ平行なテーブル１４に対し９０度より小さな角度で光が入射すると、ダイアモンドの屈折率との関係で、第１ダイアモンド１０の内部をややガードル１３方向（外方向）に屈折しつつ透過光Ｅとなり、一側のパビリオンファセット２８Aにおいて逆側のパビリオンファセット２８Bに当接する角度に反射される。そして、反射光Fがパビリオンファセット２８Bに当接すると、上方向への再反射光Gを生み出すが、この際、互いに隣接するパビリオンファセット２８の笹目点近傍Bには、ローアーガードルファセット２６との角度差によるＶ字ラインが形成されているため、再反射光GはこのＶ字ラインの投影像を含んだものとなる。
【００３２】
さらに、再反射光Gは、第１ダイアモンド１０の内部を外方向に透過するが、再反射光Gがスターファセット１８に当接すると、その際に、スターファセット１８上に前記したＶ字ラインの投影像がハート模様の上方のＶ字ラインを映し出す。一方、スターファセット１８はそもそも略菱形に形成され、第２ベセルファセット１６との間に角度差を有しているので、スターファセット１８の下側の両側辺（第２ベゼルファセット１６との境界線）はハート模様の下方のＶ字ライン（ハート模様の先端部分）を映し出す。また、同様にスターファセット１８の上側の両側辺（第１ベゼルファセット２０との境界線）はハート模様の残りのライン（上方と下方のＶ字ラインを連結するライン）を形成する。よって、スターファセット１８上にハート模様の全体ラインが形成される。
【００３３】
このようなハートラインの投影像を含んだ出射光Hは、ダイアモンドの屈折率２．４１７との関係でややキューレット２４方向（内方向）に屈折し、第１ダイアモンド１０よりほぼ９０度の出射角で放出するので、第１ダイアモンド１０を宝石用スコープ１３０の開口部１３２より覗くと、スターファセット近傍Aにおいて１０のハート模様Cを視認することができる。
【００３４】
くわえて、第１ダイアモンド１０は、クラウン１１における最も大きなファセット面である第１ベゼルファセット２０がガードル１３より想定される水平面αに対し約３４度前後に形成され、パビリオン１２におけるパビリオンファセット２８が約４０．８度前後に形成されているから、ダイアモンドの理想のカット形状である。したがって、通常のダイアモンドの場合とほぼ同様に、パビリオンファセット２８からの反射光は、アロー模様Dとなって第１ベゼルファセット２０上に投影される（ファセット面の傾斜角度が異なるため、投影像がやや横幅の段差を生じつつ、第２ベゼルファセット１６上にもアロー模様Dの一部が投影される。）。
【００３５】
よって、第１ダイアモンド１０を宝石用スコープ１３０の開口部１３２を通じて上方より覗くと、クラウン１１上に１０のアロー模様Dを視認することができる。
【００３６】
すなわち、第１ダイアモンド１０においては、クラウン１１上に１０のハート模様Cと１０のアロー模様Dを交互に位置させつつ同時に視認でき、優れたカットの証明ができる。
【００３７】
また、例えば、ペンダント３０に取り付けられた第１ダイアモンド１０には、そのままの状態でハート模様Cとアロー模様Dが視認され、あたかも万華鏡のような美しい模様を具現することができる。
【００３８】
図６において、（ａ）は本発明に係る第２ダイアモンドを示す平面図、（ｂ）は、その底面図である。図７は、第２ダイアモンドのクラウン上に視認されるハートアンドアロー模様を示す図である。
【００３９】
第２ダイアモンド４０は、略十角錘台形状（断面略台形状）であるクラウン４１と、略十角錐形状（断面略三角形状）であるパビリオン４２と、クラウン４１とパビリオン４２との境界周面の帯状のガードル４３とを有する。
【００４０】
そして、第１ダイアモンド１０と同様に、クラウン４１には、中央に平坦なテーブル４４が略正１０角形に形成されている。また、テーブル４４よりガードル４３方向に、テーブル４４の各辺を底辺として略台形に形成される第２ベゼルファセット４６を１０面有している。ここで、ガードルにより想定される水平面α（図示せず。）と第２ベゼルファセット４６の傾斜が、約２５度前後であることが望ましい点は、第１ダイアモンド１０と同様である。
【００４１】
また、クラウン４１は、隣接する第２ベゼルファセット４６の側辺を下側辺とし略菱形に形成されるスターファセット４８を１０面有し、ガードル４３により想定される水平面αとスターファセット４８の傾斜は約２８度前後であることが望ましい点は、第１ダイアモンド１０同様である。
【００４２】
さらに、クラウン４１は、第２ベゼルファセット４６の頭辺を底辺とし、スターファセット４８の上側辺を下側辺として、かつ頂点がガードル４３に接して略五角形に形成される第１ベゼルファセット５０を１０面有し、ガードル４３により想定される水平面αと第１ベゼルファセット５０の角度は約３４度前後であることが望ましい点は、第１ダイアモンド１０同様である。
【００４３】
くわえて、クラウン４１は、隣接する第１ベゼルファセット５０の接点よりガードル４３上における第１ベゼルファセット５０の頂点の略中間位置を結んで形成される上部分割線Ｘと第１ベゼルファセット５０の上側辺とガードル４３により略逆三角形に形成されるアッパーガードルファセット５２を２０面有し、ガードル４３により想定される水平面αとアッパーガードルファセット５２の角度は約３９度前後であることが望ましい点は、第１ダイアモンド１０同様である。
【００４４】
一方、第２ダイアモンド４０のパビリオン４２には、略中央に鋭ったキューレット５４が形成されている。そして、クラウン４１側における上部分割線Ｘをそのままパビリオン４２側に延長してキューレット５４とを結んで形成される下部分割線Ｙと、当該下部分割線Ｙ上に所定の距離をもって設けられる笹目点Ｚと、隣接するガードル４３上の下部分割線Ｙの中間点を結んで略逆三角形に形成されるローアーガードルファセット５５を２０面有している。ここで、ガードル４３により想定される水平面αとローアーガードルファセット５５の傾斜が約４２度前後であることが望ましい点は、第１ダイアモンド１０同様である。
【００４５】
また、パビリオン４２は、隣接するローアーガードルファセット５５の下側辺を上側辺とし、下部分割線Ｙを下側辺として略菱形に形成されるパビリオンファセット５６を１０面有し、ガードルにより想定される水平面とパビリオンファセットの角度は約４０．８度前後であることが望ましい点は、第１ダイアモンド１０と同様である。
【００４６】
なお、第２ダイアモンド４０の笹目点Ｚが下部分割線Ｙ上において、ガードル４３から笹目点Ｚまでの長さと笹目点Ｚからキューレット５４までの好ましい長さの比についても、第１ダイアモンド１０と同様である。
【００４７】
よって、第２ダイアモンド４０を宝石用スコープ１３０の開口部１３２を通して上方より覗くと、第１ダイアモンド１０と同様に、クラウン４１側に１０のハート模様Ｃと１０のアロー模様Ｄを交互に位置させて同時に視認することができ、あたかも万華鏡のような美しい投影像を描くことができる。
【００４８】
図８において、（ａ）は本発明に係る第３ダイアモンドを示す平面図、（ｂ）は、その底面図である。図９は、第３ダイアモンドのクラウン上に視認されるハートアンドアロー模様を示す図である。
【００４９】
第３ダイアモンド６０は、略円錘台形状（断面略台形状）であるクラウン６１と、略円錐形状（断面略三角形状）であるパビリオン６２と、クラウン６１とパビリオン６２との境界周面の帯状のガードル６３とを有する。
【００５０】
また、クラウン６１には、中央に平坦なテーブル６４が略正８角形に形成されている。また、テーブル６４よりガードル６３方向に、テーブル６４の各辺を底辺として略台形に形成される第２ベゼルファセット６６を８面有している。ここで、ガードル６３により想定される水平面α（図示せず。）と第２ベゼルファセット６６の傾斜は約２５度前後であることが望ましい点は、第１ダイアモンド１０と同様である。
【００５１】
また、クラウン６１は、隣接する第２ベゼルファセット６６の側辺を下側辺とし略菱形に形成されるスターファセット６８を８面有し、ガードル６３により想定される水平面αとスターファセット６８の傾斜は約２８度前後であることが望ましい点は、第１ダイアモンド１０同様である。
【００５２】
さらに、クラウン６１は、第２ベゼルファセット６６の頭辺を底辺とし、スターファセット６８の上側辺を下側辺として、かつ頂点が前記ガードル６３に接して略五角形に形成される第１ベゼルファセット７０を８面有し、ガードル６３により想定される水平面αと第１ベゼルファセット７０の角度は約３４度前後であることが望ましい点は、第１ダイアモンド１０同様である。
【００５３】
くわえて、クラウン６１は、隣接する第１ベゼルファセット７０の接点よりガードル６３上における第１ベゼルファセット７０の頂点の略中間位置を結んで形成される上部分割線Ｘと第１ベゼルファセット７０の上側辺とガードル６３により略逆三角形に形成されるアッパーガードルファセット７２を１６面有し、ガードル６３により想定される水平面αとアッパーガードルファセット７２の角度は約３９度前後であることが望ましい点は、第１ダイアモンド１０同様である。
【００５４】
一方、第３ダイアモンド６０のパビリオン６２には、略中央に鋭ったキューレット７４が形成されている。そして、クラウン６１側における上部分割線Ｘをそのままパビリオン６２側に延長してキューレット７４を結んで形成される下部分割線Ｙと、当該下部分割線Ｙ上に所定の距離をもって設けられる笹目点Ｚと隣接するガードル６３上の下部分割線Ｙの中間点を結んで略逆三角形に形成されるローアーガードルファセット７５を１６面有している。ここで、ガードル６３により想定される水平面αとローアーガードルファセット７５の傾斜が約４２度前後であることが望ましい点は、第１ダイアモンド１０同様である。
【００５５】
また、パビリオン６２は、隣接するローアーガードルファセット７５の下側辺を上側辺とし、下部分割線Ｙを下側辺として略菱形に形成されるパビリオンファセット７６を８面有し、ガードル６３により想定される水平面αとパビリオンファセット７６の傾斜は約４０．８度前後であることが望ましい点は、第１ダイアモンド１０と同様である。
【００５６】
なお、第３ダイアモンド６０の笹目点Ｚが下部分割線Ｙ上において、ガードル６３から笹目点Ｚまでの長さと笹目点Ｚからキューレット７４までの好ましい長さの比も、第１ダイアモンド１０と同様である。
【００５７】
よって、第３ダイアモンド６０を宝石用スコープ１３０の開口部１３２を通して上方より覗くと、ファセット面数との関係でハートやアローの数は少なくなるが、第１ダイアモンド１０と略同様に、クラウン側６１に８のハートＣの模様と８のアローＤの模様を交互に位置させて同時に視認することができ、あたかも万華鏡のような美しい投影像を描くことができる。
【００５８】
図１０において、（ａ）は本発明に係る第４ダイアモンドの平面図、（ｂ）はその底面図である。図１１は、第４ダイアモンドのクラウン上に視認されるハートアンドアロー模様を示す図である。
【００５９】
第４ダイアモンド８０は、略円錘台形状（断面略台形状）であるクラウン８１と、略円錐形状（断面略三角形状）であるパビリオン８２と、クラウン８１とパビリオン８２との境界周面の帯状のガードル８３とを有する。
【００６０】
第４ダイアモンド８０のクラウン８１には、テーブル８４、スターファセット８８、第２ベゼルファセット８６、第１ベゼルファセット９０が第１ダイアモンド１０と全く同様に形成されているため、ここではその説明は省略する。
【００６１】
一方、第４ダイアモンド８０のパビリオン８２には、略中央に鋭ったキューレット９４が形成されている。そして、クラウン８１側における上部分割線Ｘをそのままパビリオン８２側に延長してキューレット９４に向かって形成される１０本の第１下部分割線Ｙ１と、第１ベゼルファセット９０の頂点とガードル８３の接点よりキューレット９４に向かうように想定される１０本の第２下部分割線Ｙ２と、第１下部分割線Ｙ１上に設けられる笹目点Ｚと第２下部分割線Ｙ２上に設けられる先端点Ｖを結んで略四角形に形成されるローアーガードルファセット９５を２０面有している。ここで、ガードル８３により想定される水平面αとローアーガードルファセット９５の傾斜が約４２度前後であることが望ましい点は、第１ダイアモンド１０同様である。
【００６２】
また、パビリオン８２は、隣接するローアーガードルファセット９５の下側辺を上側辺とし、第１下部分割線Ｙ１を下側辺として略菱形に形成されるパビリオンファセット９６を１０面有し、ガードル８３により想定される水平面αとパビリオンファセット９６の角度が約４０．８度前後であることが望ましい点は、第１ダイアモンド１０と同様である。
【００６３】
さらに、第４ダイアモンド８０の笹目点Ｚが第１下部分割線Ｙ１上において、ガードル８３から笹目点Ｚまでの距離と笹目点Ｚからキューレット９４までの好ましい距離の比については、第１ダイアモンド１０同様である。
【００６４】
さらにくわえて、第４ダイアモンド８０の先端点Ｖは、第２下部分割線Ｙ２上において、ガードル８３から先端点Ｖまでの距離と先端点Ｖからキューレット９４までの好ましい距離の比は、４０：６０〜１：９９の範囲内であり、特に１５：８５程度であることが好ましい（図１０）。
【００６５】
ここで、第１ダイアモンド〜第３ダイアモンドは、従来のハートアンドアロー模様を視認できる一般的なダイアモンドが１のベゼルファセットのみを有しているのに対し、第１ベゼルファセット及び第２ベゼルファセットという２のベゼルファセットを有している。したがって、個々のダイアモンドのプロポーションにもよるが、従来のダイアモンドに比べると第１ダイアモンド〜第３ダイアモンドでは、一般的にテーブルが小さくなり易い傾向にある（例えば、従来のダイアモンドはテーブル径がガードル径の５０％〜６０％であるのに対し、第１ダイアモンドではテーブル径がガードル径の４５％〜５５％となる。）。
【００６６】
ここで、従来のダイアモンドにおいて、アローの先端をベゼルファセットに投影する光は、主としてテーブルの位置より入射していたが、第１ダイアモンド〜第３ダイアモンドにおいて、同様の光は第２ベゼルファセットの位置より入射することとなり、異なった角度でパビリオンに当接、反射するため、当該光がアローの先端を第１ベゼルファセット上に投影する位置がズレてしまう可能性がある。その結果、第１ダイアモンド〜第３ダイアモンドでは、先端が欠けた不完全なアロー模様が視認される場合もある。
【００６７】
したがって、第４ダイアモンド８０においてはパビリオン８２におけるパビリオンファセット９６の長さをやや短く調整することで、アロー模様の先端を第１ベゼルファセット９０に投影して、このような問題を解決することができる。
【００６８】
よって、第４ダイアモンド８０を宝石用スコープ１３０の開口部１３２を通して上方より覗くと、クラウン８１側に１０のハートＣの模様と１０の完全なアローＤの模様を交互に位置させて同時に視認することができ、あたかも万華鏡のような美しい投影像を描くことができる。
【００６９】
なお、このようにパビリオンファセットの長さをやや短く調整して、完全なアロー模様を視認する方法は、第２ダイアモンド４０、第３ダイアモンド６０についても同様に適用できるのはもちろんである。
【００７０】
本発明は上記実施の形態に限定されず、種々変更して実施することが可能である。すなわち、隣接するパビリオンファセットの笹目点近傍の境界線をハート模様の上方のＶ字ラインに利用する事により、カット形状が異なるダイアモンドにおいてもハート模様とアロー模様を同時に視認させることができる。
【００７１】
また、上記の実施形態では、ダイアモンドについてのみ説明しているが、ダイアモンドの合成石はもちろん、ダイアモンド以外の透明宝石（薄く着色されたものを含む。）、合成石、その他の模造宝石にも、屈折率を考慮してファセット面の角度を変更して、本発明を適用することができる。
【００７２】
また、上記説明は、全体のカット形状が略円錘台形のダイアモンドについてのみであるが、例えば、正１０角形、正２０角形等の全体が略角錘台形のダイアモンドであっても、同様なフアセット面を有するものであれば、本発明の技術的範囲に含まれるのはもちろんである。
【図面の簡単な説明】
【００７３】
【図１】（ａ）は本発明に係る第１ダイアモンドを示す平面図、（ｂ）はその底面図、（ｃ）はその側面図である。
【図２】（ａ）は第１ダイアモンドのカット面の傾斜角度を示す平面図、（ｂ）はその底面図である。
【図３】第１ダイアモンドにおけるハート模様を具現する入射光の道筋の一例を示す説明図である。
【図４】第１ダイアモンドのクラウン上に視認されるハートアンドアロー模様を示す図である。
【図５】ペンダントに取り付けられた第1ダイアモンドを示す平面図である。
【図６】（ａ）は本発明に係る第２ダイアモンドを示す平面図、（ｂ）は、その底面図である。
【図７】第２ダイアモンドのクラウン上に視認されるハートアンドアロー模様を示す図である。
【図８】（ａ）は本発明に係る第３ダイアモンドを示す平面図、（ｂ）は、その底面図である。
【図９】第３ダイアモンドのクラウン上に視認されるハートアンドアロー模様を示す図である。
【図１０】（ａ）は本発明に係る第４ダイアモンドの平面図、（ｂ）はその底面図である。
【図１１】第４ダイアモンドのクラウン上に視認されるハートアンドアロー模様を示す図である。
【図１２】（ａ）は一般的なダイアモンドの平面図、（ｂ）はその底面図、（ｃ）はその側面図である。
【図１３】宝石用スコープを示す説明図である。
【図１４】（ａ）は一般的なダイアモンドにおけるアロ−模様を示す図、（ｂ）はそのハート模様を示す図である。
【符号の説明】
【００７４】
１０  第１ダイアモンド
１１  クラウン
１２  パビリオン
１３  ガードル
１４  テーブル
１５Ａ  接点
１５Ｂ  中間点
１６  第２ベゼルファセット
１８  スターファセット
２０  第１ベゼルファセット
２２  アッパーガードルファセット
２４  キューレット
２５Ｂ  中間点
２６  ローアーガードルファセット
２８  パビリオンファセット
３０  ペンダント
４０  第２ダイアモンド
４１  クラウン
４２  パビリオン
４３  ガードル
４４  テーブル
４６  第２ベゼルファセット
４８  スターファセット
５０  第１ベゼルファセット
５２  アッパーガードルファセット
５４  キューレット
５５  ローアーガードルファセット
５６  パビリオンファセット
６０  第３ダイアモンド
６１  クラウン
６２  パビリオン
６３  ガードル
６４  テーブル
６６  第２ベゼルファセット
６８  スターファセット
７０  第１ベゼルファセット
７２  アッパーガードルファセット
７４  キューレット
７５  ローアーガードルファセット
７６  パビリオンファセット
８０  第４ダイアモンド
８１  クラウン
８２  パビリオン
８３  ガードル
８４  テーブル
８６  第２ベゼルファセット
８８  スターファセット
９０  第１ベゼルファセット
９４  キューレット
９５  ローアーガードルファセット
９６  パビリオンファセット
１１０  ダイアモンド
１１１  クラウン
１１２  パビリオン
１１３  ガードル
１１４  テーブル
１１８  スターファセット
１２０  ベゼルファセット
１２２  アッパーガードルファセット
１２４  キューレット
１２５  ローワーガードルファセット
１２６  パビリオンメインファセット
１３０  宝石スコープ
１３２  開口部
１３２  穴部
１３３  半透明キャップ部
１３４  着色周囲部
Ｃ  アロー模様
Ｄ  ハート模様
Ｅ  透過光
Ｆ  反射光
Ｇ  再反射光
Ｈ  出射光
Ｘ  上部分割線
Ｙ  下部分割線
Ｙ１    第１下部分割線
Ｙ２    第２下部分割線
Ｖ    先端点
Ｚ  笹目点
【図１】
2010201043.tif 000003
【図２】
2010201043.tif 000004
【図３】
2010201043.tif 000005
【図４】
2010201043.tif 000006
【図５】
2010201043.tif 000007
【図６】
2010201043.tif 000008
【図７】
2010201043.tif 000009
【図８】
2010201043.tif 000010
【図９】
2010201043.tif 000011
【図１０】
2010201043.tif 000012
【図１１】
2010201043.tif 000013
【図１２】
2010201043.tif 000014
【図１３】
2010201043.tif 000015
【図１４】
2010201043.tif 000016